(57)【特許請求の範囲】
【請求項１】
被印字媒体を搬送する搬送手段と、
前記搬送手段により搬送される前記被印字媒体に対し、印字を形成する印字手段と、
を有する印字装置であって、
前記被印字媒体に対し印字形成されるテキスト文字を操作入力するための操作手段と、
前記被印字媒体に対し印字形成される前記テキスト文字に適用するために予め用意されると共に、前記テキスト文字が配置される配置枠要素を含む複数の枠要素として、前記被印字媒体において前記テキスト文字の前記搬送手段による搬送方向に沿った一方側及び他方側にそれぞれ配置される第１枠要素及び第２枠要素、並びに前記第１枠要素及び前記第２枠要素の間に配置されかつ前記テキスト文字の配置向きが設定されている特定の配置枠要素としての第３枠要素、を備える、枠要素セットを複数種類記憶した記憶手段と、
前記記憶手段に記憶された前記複数種類の前記枠要素セットのうち１つを設定する設定手段と、
前記設定手段により設定された前記枠要素セットの特定の前記配置枠要素を、少なくとも前記操作手段により入力された前記テキスト文字の文字数に応じて少なくとも個数を調節し、当該枠要素セットの他の前記枠要素と組み合わせて、枠を生成する枠生成手段と、
前記枠の前記配置枠要素のそれぞれに、前記操作手段により入力された前記テキスト文字のそれぞれが配置された態様で、印字データを生成する印字データ生成手段と、
前記印字データに対応した印字を前記被印字媒体に対し形成するために前記搬送手段及び前記印字手段を連携して制御する連携制御手段と、
を有し、
前記枠生成手段は、
前記枠要素セットの前記第３枠要素を、少なくとも前記文字数に応じて少なくとも個数を調節し、当該枠要素セットの前記第１枠要素及び前記第２枠要素と組み合わせて、前記枠を生成し、
前記印字データ生成手段は、
前記枠の前記第３枠要素のそれぞれに、前記テキスト文字のそれぞれが配置されるとともに、前記テキスト文字のそれぞれの向きを、対応する前記第３枠要素に設定された前記配置向きに応じて変化させた態様で、前記印字データを生成する
ことを特徴とする印字装置。
【請求項２】
請求項１記載の印字装置において、
前記記憶手段は、
前記第１枠要素及び前記第２枠要素と、前記搬送方向と直交する方向に沿った一方側及び他方側にそれぞれ配置され前記配置向きが互いに異なる向きに設定された一対の前記第３枠要素と、を備える、第１枠要素セットを記憶しており、
前記枠生成手段は、
前記設定手段により設定された前記第１枠要素セットの前記第３枠要素を、少なくとも前記文字数に応じて少なくとも個数を調節し、当該第１枠要素セットの前記第１枠要素及び前記第２枠要素と組み合わせて、第１枠を生成し、
前記印字データ生成手段は、
前記第１枠の前記第３枠要素のそれぞれに、前記テキスト文字のそれぞれが配置されると共に、前記テキスト文字のそれぞれの向きを、対応する前記第３枠要素に設定された前記配置向きに応じて変化させた態様で、前記印字データを生成する
ことを特徴とする印字装置。
【請求項３】
被印字媒体を搬送する搬送手段と、
前記搬送手段により搬送される前記被印字媒体に対し、印字を形成する印字手段と、
を有する印字装置であって、
前記被印字媒体に対し印字形成されるテキスト文字を操作入力するための操作手段と、
前記被印字媒体に対し印字形成される前記テキスト文字に適用するために予め用意されると共に、前記テキスト文字が配置される配置枠要素を含む複数の枠要素として、前記被印字媒体において前記テキスト文字の前記搬送手段による搬送方向に沿った一方側及び他方側にそれぞれ配置される第１枠要素及び第２枠要素、並びに前記第１枠要素及び前記第２枠要素の間に配置されかつ前記テキスト文字の配置向きが設定されている特定の配置枠要素としての第３枠要素、を備える、枠要素セットを複数種類記憶した記憶手段と、
前記記憶手段に記憶された前記複数種類の前記枠要素セットのうち１つを設定する設定手段と、
前記設定手段により設定された前記枠要素セットの特定の前記配置枠要素を、少なくとも前記操作手段により入力された前記テキスト文字の文字数に応じて少なくとも個数を調節し、当該枠要素セットの他の前記枠要素と組み合わせて、枠を生成する枠生成手段と、
前記枠の前記配置枠要素のそれぞれに、前記操作手段により入力された前記テキスト文字のそれぞれが配置された態様で、印字データを生成する印字データ生成手段と、
前記印字データに対応した印字を前記被印字媒体に対し形成するために前記搬送手段及び前記印字手段を連携して制御する連携制御手段と、
を有し、
前記枠生成手段は、
前記枠要素セットの前記第３枠要素を、少なくとも前記文字数に応じて少なくとも個数を調節し、当該枠要素セットの前記第１枠要素及び前記第２枠要素と組み合わせて、前記枠を生成し、
前記印字データ生成手段は、
前記枠の前記第３枠要素のそれぞれに、前記テキスト文字のそれぞれが配置されるとともに、前記テキスト文字のそれぞれのサイズを、対応する前記第３枠要素に設定された配置サイズに応じて変化させた態様で、前記印字データを生成する
ことを特徴とする印字装置。
【請求項４】
請求項３記載の印字装置において、
前記記憶手段は、
前記第１枠要素及び前記第２枠要素と、複数配列される場合にはアーチ状又は直線状又は波状に配列されつつ中央側に配置されるものほど前記配置サイズを含むサイズが大きくなり中央から離れた位置に配置されるものほど前記配置サイズを含むサイズが小さくなるように配列条件が設定された前記第３枠要素と、を備える、第２枠要素セットを記憶しており、
前記枠生成手段は、
前記設定手段により設定された前記第２枠要素セットの前記第３枠要素を、少なくとも前記文字数及び当該第３枠要素に設定された前記配列条件に応じて個数、配列、及びサイズを調節し、当該第２枠要素セットの前記第１枠要素及び前記第２枠要素と組み合わせて、第２枠を生成し、
前記印字データ生成手段は、
前記第２枠の前記第３枠要素のそれぞれに、前記テキスト文字のそれぞれが配置されると共に、前記テキスト文字のそれぞれのサイズを、対応する前記第３枠要素のサイズに応じた前記配置サイズに応じて変化させた態様で、前記印字データを生成する
ことを特徴とする印字装置。
【請求項５】
請求項４記載の印字装置において、
前記枠要素セットの前記第３枠要素には、
前記テキスト文字の配置向きが設定されており、
前記印字データ生成手段は、
前記テキスト文字のそれぞれの向きを、対応する前記第３枠要素に設定された前記配置向きに応じて変化させた態様で、前記印字データを生成する
ことを特徴とする印字装置。
【請求項６】
請求項５記載の印字装置において、
前記記憶手段は、
前記第１枠要素及び前記第２枠要素と、前記搬送方向と直交する方向に沿った一方側及び他方側にそれぞれ配置され前記配置向きが互いに異なる向きに設定された一対の前記第３枠要素と、を備える、第１枠要素セットを記憶しており、
前記枠生成手段は、
前記設定手段により設定された前記第１枠要素セットの前記第３枠要素を、少なくとも前記文字数に応じて少なくとも個数を調節し、当該第１枠要素セットの前記第１枠要素及び前記第２枠要素と組み合わせて、第１枠を生成し、
前記印字データ生成手段は、
前記第１枠の前記第３枠要素のそれぞれに、前記テキスト文字のそれぞれが配置されると共に、前記テキスト文字のそれぞれの向きを、対応する前記第３枠要素に設定された前記配置向きに応じて変化させた態様で、前記印字データを生成する
ことを特徴とする印字装置。
【請求項７】
請求項１乃至６のいずれか１項記載の印字装置において、
前記連携制御手段は、
前記印字データに対応した印字が形成された前記被印字媒体により印字ラベルを作成するように、前記搬送手段及び前記印字手段を連携して制御する
ことを特徴とする印字装置。
【請求項８】
被印字媒体を搬送する搬送手段、及び、前記搬送手段により搬送される前記被印字媒体に対し印字を形成する印字手段を有し、操作入力されたテキスト文字を前記被印字媒体に対し印字形成する印字装置を、操作可能に接続された操作端末に備えられた演算手段に対し、
記憶手段に記憶された、前記被印字媒体に対し印字形成される前記テキスト文字に適用するために予め用意されると共に、前記テキスト文字が配置される配置枠要素を含む複数の枠要素として、前記被印字媒体において前記テキスト文字の前記搬送手段による搬送方向に沿った一方側及び他方側にそれぞれ配置される第１枠要素及び第２枠要素、並びに前記第１枠要素及び前記第２枠要素の間に配置されかつ前記テキスト文字の配置向きが設定されている特定の配置枠要素としての第３枠要素、を備える、複数種類の枠要素セットのうち１つを設定する設定手順と、
前記設定手順により設定された前記枠要素セットの特定の前記配置枠要素を、少なくとも前記操作入力された前記テキスト文字の文字数に応じて少なくとも個数を調節し、当該枠要素セットの他の前記枠要素と組み合わせて、枠を生成する枠生成手順と、
前記枠の前記配置枠要素のそれぞれに、前記操作入力された前記テキスト文字のそれぞれが配置された態様で、印字データを生成する印字データ生成手順と、
前記印字データに対応した印字を前記被印字媒体に対し形成するために前記搬送手段及び前記印字手段を連携して制御する連携制御手順と、
を実行させるとともに、
前記枠生成手順では、
前記枠要素セットの前記第３枠要素を、少なくとも前記文字数に応じて少なくとも個数を調節し、当該枠要素セットの前記第１枠要素及び前記第２枠要素と組み合わせて、前記枠を生成し、
前記印字データ生成手順では、
前記枠の前記第３枠要素のそれぞれに、前記テキスト文字のそれぞれが配置されるとともに、前記テキスト文字のそれぞれの向きを、対応する前記第３枠要素に設定された前記配置向きに応じて変化させた態様で、前記印字データを生成する
ための、印字処理プログラム。
【請求項９】
被印字媒体を搬送する搬送手段、及び、前記搬送手段により搬送される前記被印字媒体に対し印字を形成する印字手段を有し、操作入力されたテキスト文字を前記被印字媒体に対し印字形成する印字装置を、操作可能に接続された操作端末に備えられた演算手段に対し、
記憶手段に記憶された、前記被印字媒体に対し印字形成される前記テキスト文字に適用するために予め用意されると共に、前記テキスト文字が配置される配置枠要素を含む複数の枠要素として、前記被印字媒体において前記テキスト文字の前記搬送手段による搬送方向に沿った一方側及び他方側にそれぞれ配置される第１枠要素及び第２枠要素、並びに前記第１枠要素及び前記第２枠要素の間に配置されかつ前記テキスト文字の配置向きが設定されている特定の配置枠要素としての第３枠要素、を備える、複数種類の枠要素セットのうち１つを設定する設定手順と、
前記設定手順により設定された前記枠要素セットの特定の前記配置枠要素を、少なくとも前記操作入力された前記テキスト文字の文字数に応じて少なくとも個数を調節し、当該枠要素セットの他の前記枠要素と組み合わせて、枠を生成する枠生成手順と、
前記枠の前記配置枠要素のそれぞれに、前記操作入力された前記テキスト文字のそれぞれが配置された態様で、印字データを生成する印字データ生成手順と、
前記印字データに対応した印字を前記被印字媒体に対し形成するために前記搬送手段及び前記印字手段を連携して制御する連携制御手順と、
を実行させるとともに、
前記枠生成手順は、
前記枠要素セットの前記第３枠要素を、少なくとも前記文字数に応じて少なくとも個数を調節し、当該枠要素セットの前記第１枠要素及び前記第２枠要素と組み合わせて、前記枠を生成し、
前記印字データ生成手順は、
前記枠の前記第３枠要素のそれぞれに、前記テキスト文字のそれぞれが配置されるとともに、前記テキスト文字のそれぞれのサイズを、対応する前記第３枠要素に設定された配置サイズに応じて変化させた態様で、前記印字データを生成する
ための、印字処理プログラム。
【請求項１０】
被印字媒体を搬送する搬送手段、及び、前記搬送手段により搬送される前記被印字媒体に対し印字を形成する印字手段を有し、操作入力されたテキスト文字を前記被印字媒体に対し印字形成する印字装置を、操作可能に接続された操作端末に備えられた演算手段に対し、
記憶手段に記憶された、前記被印字媒体に対し印字形成される前記テキスト文字に適用するために予め用意されると共に、前記テキスト文字が配置される配置枠要素を含む複数の枠要素として、前記被印字媒体において前記テキスト文字の前記搬送手段による搬送方向に沿った一方側端及び他方側端にそれぞれ配置される第１枠要素及び第２枠要素、並びに前記第１枠要素及び前記第２枠要素の間に複数配置される特定の配置枠要素としての一種類以上の第３枠要素を備える、複数種類の枠要素セットのうち１つを設定する設定手順と、
前記設定手順で設定された前記枠要素セットの特定の前記配置枠要素を、少なくとも前記操作入力された前記テキスト文字の文字数に応じて少なくとも個数を調節し、当該枠要素セットの他の前記枠要素と組み合わせて、枠を生成する枠生成手順と、
前記枠の前記配置枠要素のそれぞれに、前記操作入力された前記テキスト文字のそれぞれが配置された態様で、印字データを生成する印字データ生成手順と、
前記印字データに対応した印字を前記被印字媒体に対し形成するために前記搬送手段及び前記印字手段を連携して制御させるための制御信号を、前記印字装置に対し送信する送信手順と、
を実行させるとともに、
前記枠生成手順では、
前記枠要素セットの前記第３枠要素を、少なくとも前記文字数に応じて個数及び重なりを含む配置を調節し、当該枠要素セットの前記第１枠要素と前記第３枠要素、前記第２枠要素と前記第３枠要素、前記複数の第３枠要素同士、の少なくとも何れか１つ以上を前記搬送手段による搬送方向における重なりを含めて組み合わせて、前記枠を生成し、
前記印字データ生成手順では、
前記枠の前記第３枠要素のそれぞれに、前記テキスト文字のそれぞれが重ならないように配置された態様で、前記印字データを生成する、
ための、印字処理プログラム。
【発明の詳細な説明】
【技術分野】
【０００１】
本発明は、被印字媒体に印字を行う印字装置及び印字処理プログラムに関する。
【背景技術】
【０００２】
従来、被印字媒体に印字を行う印字装置が知られている（例えば、特許文献１参照）。この印字装置（ラベル作成装置）では、搬送手段（プラテンローラ）により搬送される被印字媒体（印刷用テープ）に対し、印字手段（サーマルヘッド）により印字が形成される。被印字媒体には、テキスト文字と、そのテキスト文字を包囲する枠（飾り枠）と、が印字形成される。
【先行技術文献】
【特許文献】
【０００３】
【特許文献１】特開平８−３０５９２号公報
【発明の概要】
【発明が解決しようとする課題】
【０００４】
上記従来技術では、操作者は、印字装置において予め用意された文字列の外側を囲む枠を選択して使用することしかできず、テキスト文字において種々多様な表現態様を実現することができない。このため、印字を表現性豊かに形成したいというニーズに十分に対応することができず、不便であった。
【０００５】
本発明の目的は、テキスト文字において種々多様な表現態様を実現することで、印字を表現性豊かに形成でき、操作者にとっての利便性を向上できる印字装置及び印字処理プログラムを提供することにある。
【課題を解決するための手段】
【０００６】
上記目的を達成するために、本願発明は、被印字媒体を搬送する搬送手段と、前記搬送手段により搬送される前記被印字媒体に対し、印字を形成する印字手段と、を有する印字装置であって、前記被印字媒体に対し印字形成されるテキスト文字を操作入力するための操作手段と、前記被印字媒体に対し印字形成される前記テキスト文字に適用するために予め用意されると共に、前記テキスト文字が配置される配置枠要素を含む複数の枠要素として、前記被印字媒体において前記テキスト文字の前記搬送手段による搬送方向に沿った一方側及び他方側にそれぞれ配置される第１枠要素及び第２枠要素、並びに前記第１枠要素及び前記第２枠要素の間に配置されかつ前記テキスト文字の配置向きが設定されている特定の配置枠要素としての第３枠要素、を備える、枠要素セットを複数種類記憶した記憶手段と、前記記憶手段に記憶された前記複数種類の前記枠要素セットのうち１つを設定する設定手段と、前記設定手段により設定された前記枠要素セットの特定の前記配置枠要素を、少なくとも前記操作手段により入力された前記テキスト文字の文字数に応じて少なくとも個数を調節し、当該枠要素セットの他の前記枠要素と組み合わせて、枠を生成する枠生成手段と、前記枠の前記配置枠要素のそれぞれに、前記操作手段により入力された前記テキスト文字のそれぞれが配置された態様で、印字データを生成する印字データ生成手段と、前記印字データに対応した印字を前記被印字媒体に対し形成するために前記搬送手段及び前記印字手段を連携して制御する連携制御手段と、有し、前記枠生成手段は、前記枠要素セットの前記第３枠要素を、少なくとも前記文字数に応じて少なくとも個数を調節し、当該枠要素セットの前記第１枠要素及び前記第２枠要素と組み合わせて、前記枠を生成し、前記印字データ生成手段は、前記枠の前記第３枠要素のそれぞれに、前記テキスト文字のそれぞれが配置されるとともに、前記テキスト文字のそれぞれの向きを、対応する前記第３枠要素に設定された前記配置向きに応じて変化させた態様で、前記印字データを生成する、ことを特徴とする。
また、被印字媒体を搬送する搬送手段と、前記搬送手段により搬送される前記被印字媒体に対し、印字を形成する印字手段と、を有する印字装置であって、前記被印字媒体に対し印字形成されるテキスト文字を操作入力するための操作手段と、前記被印字媒体に対し印字形成される前記テキスト文字に適用するために予め用意されると共に、前記テキスト文字が配置される配置枠要素を含む複数の枠要素として、前記被印字媒体において前記テキスト文字の前記搬送手段による搬送方向に沿った一方側及び他方側にそれぞれ配置される第１枠要素及び第２枠要素、並びに前記第１枠要素及び前記第２枠要素の間に配置されかつ前記テキスト文字の配置向きが設定されている特定の配置枠要素としての第３枠要素、を備える、枠要素セットを複数種類記憶した記憶手段と、前記記憶手段に記憶された前記複数種類の前記枠要素セットのうち１つを設定する設定手段と、前記設定手段により設定された前記枠要素セットの特定の前記配置枠要素を、少なくとも前記操作手段により入力された前記テキスト文字の文字数に応じて少なくとも個数を調節し、当該枠要素セットの他の前記枠要素と組み合わせて、枠を生成する枠生成手段と、前記枠の前記配置枠要素のそれぞれに、前記操作手段により入力された前記テキスト文字のそれぞれが配置された態様で、印字データを生成する印字データ生成手段と、前記印字データに対応した印字を前記被印字媒体に対し形成するために前記搬送手段及び前記印字手段を連携して制御する連携制御手段と、を有し、前記枠生成手段は、前記枠要素セットの前記第３枠要素を、少なくとも前記文字数に応じて少なくとも個数を調節し、当該枠要素セットの前記第１枠要素及び前記第２枠要素と組み合わせて、前記枠を生成し、前記印字データ生成手段は、前記枠の前記第３枠要素のそれぞれに、前記テキスト文字のそれぞれが配置されるとともに、前記テキスト文字のそれぞれのサイズを、対応する前記第３枠要素に設定された配置サイズに応じて変化させた態様で、前記印字データを生成することを特徴とする。
【０００７】
本願発明の印字装置においては、操作者が意図する所望のテキスト文字を表記する印字を被印字媒体に対し形成することができる。そして、その印字形成時に、テキスト文字のそれぞれを、予め用意された枠要素セットを用いて生成した枠の所定の枠要素（配置枠要素）のそれぞれに配置して、印字形成することができる。
【０００８】
すなわち、記憶手段に、複数種類の枠要素セットが記憶されている。各枠要素セットは、テキスト文字が配置される配置枠要素を含む複数の枠要素を備える。そして、設定手段が、上記記憶手段に記憶された複数種類の枠要素セットのうち１つを選択し、使用する枠要素セットとして設定する。その後、枠生成手段が、上記設定された枠要素セットの特定の配置枠要素を、操作手段を介して操作者が入力したテキスト文字の文字数等に応じて個数等を調節し、当該枠要素セットの他の枠要素と組み合わせて、枠を生成する。そして、印字データ生成手段により、上記生成された枠の配置枠要素のそれぞれに、上記入力されたテキスト文字のそれぞれが配置された態様とした、印字データが生成される。その後、その生成された印字データに基づき、連携制御手段の制御により、対応する印字が被印字媒体に対し形成される。
【０００９】
以上の結果、操作者がテキスト文字の操作入力を行い、使用する枠要素セットを設定すると、その枠要素セットの特定の配置枠要素の個数等が自動的にアレンジされて枠が生成され、その枠の配置枠要素のそれぞれに、上記テキスト文字のそれぞれを配置した態様の、印字を形成することができる。したがって、（アレンジ不能に）予め用意された枠を選択して使用するのみの場合に比べて、テキスト文字において種々多様な表現態様を実現することができる。この結果、印字を表現性豊かに形成することができるので、操作者にとっての利便性を向上することができる。
【発明の効果】
【００１０】
本発明によれば、テキスト文字において種々多様な表現態様を実現することができるので、印字を表現性豊かに形成することができ、操作者にとっての利便性を向上することができる。
【図面の簡単な説明】
【００１１】
【図１】本発明の一実施形態の印字装置を斜め上方からから見た外観を表す斜視図である。
【図２】下カバーを開放した状態の印字装置を斜め下方から見た外観を表す斜視図である。
【図３】カートリッジの内部構造を模式的に表す拡大平面図である。
【図４】印字装置の制御系を表す機能ブロック図である。
【図５】基本枠セット記憶部に記憶された複数種類の基本枠セットの例を表すテーブルである。
【図６】枠基本セットを用いて生成された枠の各中間枠に各テキスト文字が配置された態様の印字が形成された印字ラベルが作成される流れを説明するための説明図である。
【図７】作成される印字ラベルの別の例を説明するための説明図である。
【図８】ＣＰＵにより実行される制御手順を表すフローチャートである。
【発明を実施するための形態】
【００１２】
以下、本発明の一実施形態について図面を参照しつつ説明する。
【００１３】
＜全体概略構成＞
まず、図１〜図３を参照しつつ、本実施形態の印字装置の概略構成を説明する。
【００１４】
図１〜図３において、印字装置１は、所望の印字を行った印字済みラベル用テープ１０９を所定の長さに切断することにより、印字ラベルＬ（後述の図６（ｅ）等参照）を作成する。なお、本実施形態において、印字装置１の前・後・左・右・上・下というときは、図１及び図２等に示す方向を指す。
【００１５】
図１及び図２に示すように、印字装置１の筐体２は、装置下面を構成する下カバー１５と、装置側面を構成する横カバー１６と、装置上面を構成する上カバー１７と、により構成されている。上カバー１７には、前方から後方に向けて、文字入力等の種々の操作が行われるキーボード３（操作手段に相当）、印字装置１の各種機能を実行させるための機能キー群４、及び、キーボード３を介して入力されたテキスト文字（記号も含む）等を表示するための液晶ディスプレイ５が設けられている。キーボード３には、例えば、「↑」「←」「→」「↓」の４つのカーソルキーの他、通常のアルファベットや数字のキーが設けられている。機能キー群４には、この例では、電源スイッチ４Ｂ及び印刷キー４Ｃ等が含まれている。また、横カバー１６の右側後方には、印字済みラベル用テープ１０９（後述の図３参照）を切断するためのカッターレバー７が設けられている。
【００１６】
印字装置１の上側後方には、カートリッジ８を着脱可能なカートリッジホルダ９が設けられている。このカートリッジホルダ９は、印字装置１の前側端部を回転軸として開閉可能に構成された上記下カバー１５を閉じると覆われ、下カバー１５を開放すると露出する。
【００１７】
また、図２に示すように、印字装置１の上側後方には、カートリッジホルダ９に隣接して、電池ＢＴ（後述の図４参照）を複数個収納可能な電池収納部７０が設けられている。なお、図２中、符号６０は、外部電源としてのＡＣアダプタ２２０（後述の図４参照）の出力プラグが接続されるＤＣジャックである。
【００１８】
＜カートリッジ＞
図３に示すように、カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である、透明なカバーフィルム１０３（被印字媒体に相当）が巻回された第２ロール１０４（実際は渦巻き状であるが、図では簡略的に同心円状に示す）と、熱転写リボンであるインクリボン１０５（但し被印字媒体が感熱テープの場合は不要）を繰り出すリボン供給側ロール１１１と、印字後のインクリボン１０５を巻き取るリボン巻き取りローラ１０６と、カートリッジ８のテープ排出部の近傍に回転可能に支持されたテープ送りローラ２７と、を有する。
【００１９】
テープ送りローラ２７は、上記基材テープ１０１と上記カバーフィルム１０３とを押圧し接着させ印字済みラベル用テープ１０９としつつ、図３中矢印Ａで示す方向にテープ送りを行う。
【００２０】
第１ロール１０２は、リール部材１０２ａの周りに上記基材テープ１０１を巻回している。基材テープ１０１は、この例では４層構造となっており、詳細な図示を省略するが、内側に巻かれる側からその反対側へ向かって、適宜の粘着剤からなる貼り合わせ用粘着層、ＰＥＴ（ポリエチレンテレフタラート）等からなる色付きのベースフィルム、適宜の粘着剤からなる貼り付け用粘着層、剥離紙の順序で積層され構成されている。
【００２１】
第２ロール１０４は、リール部材１０４ａの周りに上記カバーフィルム１０３を巻回している。第２ロール１０４より繰り出されるカバーフィルム１０３の裏面に、インクリボン１０５がサーマルヘッド２３（印字手段に相当。図２も参照）に押圧されて当接させられる。
【００２２】
このとき、上記のカートリッジ８の構成に対応して、カートリッジホルダ９には、上記使用済みのインクリボン１０５を巻き取るためのリボン巻き取りローラ駆動軸１０７（図２も参照）と、印字済みラベル用テープ１０９を搬送するための上記テープ送りローラ２７を駆動するためのテープ送りローラ駆動軸１０８（搬送手段に相当。図２も参照）と、が設けられている。また、カートリッジホルダ９には、カバーフィルム１０３に所望の印刷を行う上記サーマルヘッド２３が、カートリッジ８の装着時にカートリッジ８の開口部１４（図２参照）に位置するように設けられている。
【００２３】
リボン巻き取りローラ１０６及びテープ送りローラ２７は、カートリッジ８外に設けた例えばパルスモータである駆動モータ２１１（後述の図４参照）の駆動力が、図示しないギヤ機構を介し上記リボン巻き取りローラ駆動軸１０７及び上記テープ送りローラ駆動軸１０８に伝達されることにより、互いに連動し回転駆動される。
【００２４】
上記構成において、カートリッジ８が上記カートリッジホルダ９に装着されロールホルダがリリース位置（図示省略）から図３に示す印字位置に移動されると、カバーフィルム１０３及びインクリボン１０５が、上記サーマルヘッド２３と、このサーマルヘッド２３に対向して設けられたプラテンローラ２６と、の間に狭持される。これと共に、基材テープ１０１及びカバーフィルム１０３が、テープ送りローラ２７と、テープ送りローラ２７に対向して設けられた圧着ローラ２８と、の間に狭持される。そして、上記駆動モータ２１１の駆動力により、リボン巻き取りローラ１０６及びテープ送りローラ２７が、図３中矢印Ｂ及び矢印Ｃで示す方向にそれぞれ同期して回転駆動される。このとき、前述のテープ送りローラ駆動軸１０８と上記圧着ローラ２８及び上記プラテンローラ２６は、ギヤ機構（図示せず）にて連結されており、テープ送りローラ駆動軸１０８の駆動に伴いテープ送りローラ２７、圧着ローラ２８、及びプラテンローラ２６が回転し、第１ロール１０２から基材テープ１０１が繰り出され、上述のようにテープ送りローラ２７へ供給される。
【００２５】
一方、第２ロール１０４からはカバーフィルム１０３が繰り出されると共に、サーマルヘッド制御回路２１７（後述の図４参照）によりサーマルヘッド２３に設けられた複数の発熱素子が通電され発熱する。このとき、カバーフィルム１０３の裏面側（すなわち上記基材テープ１０１と接着される側）には、リボン巻き取りローラ１０６により駆動されるインクリボン１０５が、上記サーマルヘッド２３に押圧されて当接させられる。この結果、カバーフィルム１０３の裏面に、キーボード３を介して入力されたテキスト文字等を含む印字が印刷される。
【００２６】
そして、上記基材テープ１０１と上記印刷が終了したカバーフィルム１０３とが、上記テープ送りローラ２７及び圧着ローラ２８の押圧により上記貼り合わせ用粘着層により接着されて一体化され、印字済みラベル用テープ１０９として形成され、カートリッジ８外へと排出される。カバーフィルム１０３への印字が終了したインクリボン１０５は、リボン巻き取りローラ駆動軸１０７の駆動によりリボン巻き取りローラ１０６に巻き取られる。
【００２７】
カートリッジ８外へ排出された印字済みラベル用テープ１０９の搬送経路の下流側には、固定刃４０と可動刃４１とを備えた切断機構４２が設けられている。上記カッターレバー７が操作されることにより可動刃４１が動作し、上記印字済みラベル用テープ１０９が切断され、上記印字ラベルＬが生成される。
【００２８】
＜制御系＞
次に、図４を参照しつつ、印字装置１の制御系を説明する。
【００２９】
図４に示すように、印字装置１は、所定の演算を行うＣＰＵ２１２を有する。
【００３０】
ＣＰＵ２１２には、上記キーボード３と、上記機能キー群４と、上記液晶ディスプレイ５と、ＥＥＰＲＯＭ２１４と、ＲＡＭ２１３と、が接続されている。また、ＣＰＵ２１２は、ＡＣアダプタ２２０に接続され印字装置１の電源のオン・オフ処理を行う電源回路２１５と、上記リボン巻き取りローラ駆動軸１０７及び上記テープ送りローラ駆動軸１０８を駆動する駆動モータ２１１の駆動制御を行うモータ駆動回路２１６と、上記サーマルヘッド２３の発熱素子の通電制御を行うサーマルヘッド制御回路２１７と、に接続されている。
【００３１】
ＥＥＰＲＯＭ２１４には、各種制御プログラム（後述の図８に示すフローチャートの処理を実行する制御プログラムを含む）が記憶されている。ＣＰＵ２１２は、ＲＡＭ２１３の一時記憶機能を利用しつつＥＥＰＲＯＭ２１４に記憶されたプログラムに従って信号処理を行い、これにより印字装置１全体の制御を行う。
【００３２】
＜本実施形態の特徴＞
以上の基本構成において、本実施形態の特徴は、操作者がテキスト文字を入力すると共に枠基本セット（詳細は後述）を選択すると、選択された枠基本セットの中間枠が、入力されたテキスト文字の文字数等に応じて個数等が調節され、当該枠基本セットの前枠及び後枠と組み合わされて、枠が生成され、その枠の各中間枠に各テキスト文字が配置された態様の印字が形成されることにある。以下、その詳細を説明する。
【００３３】
＜枠基本セット＞
本実施形態では、上記ＥＥＰＲＯＭ２１４に、枠基本セット記憶部２１４ａ（記憶手段に相当）が備えられている。枠基本セット記憶部２１４ａには、カバーフィルム１０３に対し印字形成されるテキスト文字に適用するために予め用意された複数種類の枠基本セット（枠要素セットに相当。後述の図５に示す枠基本セットＢＳ１〜ＢＳ５等参照）が記憶されている。なお、以下適宜、枠基本セットＢＳ１〜ＢＳ５等を区別しない場合は、これらを総称して単に「枠基本セットＢＳ」という。
【００３４】
各枠基本セットＢＳには、カバーフィルム１０３においてテキスト文字の上記テープ送りローラ駆動軸１０８等による搬送方向（言い換えればテープ長さ方向）の下流側（搬送方向に沿った一方側に相当）に配置される前枠（第１枠要素に相当。後述の図５に示す前枠Ｆ１〜Ｆ５等参照）と、カバーフィルム１０３においてテキスト文字の上記搬送方向の上流側（搬送方向に沿った他方側に相当）に配置される後枠（第２枠要素に相当。後述の図５に示す後枠Ｒ１〜Ｒ５等参照）と、これら前枠及び後枠の間に配置されテキスト文字が配置される中間枠（配置枠要素、特定の配置枠要素、及び第３枠要素に相当。後述の図５に示す中間枠Ｎ１〜Ｎ５等参照）と、を含む３種類の枠要素が、備えられている。なお、以下適宜、前枠Ｆ１〜Ｆ５等を区別しない場合は、これらを総称して単に「前枠Ｆ」といい、後枠Ｒ１〜Ｒ５等を区別しない場合は、これらを総称して単に「後枠Ｒ」といい、中間枠Ｎ１〜Ｎ５等を区別しない場合は、これらを総称して単に「中間枠Ｎ」という。
【００３５】
図５に、枠基本セット記憶部２１４ａに記憶された枠基本セットＢＳの例を示す。
【００３６】
図５に示す例では、枠基本セット記憶部２１４ａには、枠基本セットＢＳ１〜ＢＳ５等が記憶されている。
【００３７】
枠基本セットＢＳ１は、「虫」という名称が割り当てられた枠基本セットＢＳであり、「虫の頭」の絵柄の前枠Ｆ１と、「虫の尻」の絵柄の後枠Ｒ１と、「虫の胴」の絵柄の中間枠Ｎ１と、を備える。
【００３８】
中間枠Ｎ１内には、１つのテキスト文字が配置される文字配置領域ｔ１が設けられている。文字配置領域ｔ１には、テキスト文字の配置サイズ及び配置向きが設定されている。この例では、文字配置領域ｔ１におけるテキスト文字の配置向きは、矢印先端側（図５中上側）がテキスト文字の上側となる向きに設定されている。
【００３９】
枠基本セットＢＳ２は、「はしご」という名称が割り当てられた枠基本セットＢＳであり、「はしごの一端部」の絵柄の前枠Ｆ２と、「はしごの他端部」の絵柄の後枠Ｒ２と、「はしごの中間部」の絵柄の中間枠Ｎ２と、を備える。
【００４０】
中間枠Ｎ２内には、１つのテキスト文字が配置される文字配置領域ｔ２が設けられている。文字配置領域ｔ２には、テキスト文字の配置サイズ及び配置向きが設定されている。この例では、文字配置領域ｔ２におけるテキスト文字の配置向きは、矢印先端側（図５中左側）がテキスト文字の上側となる向きに設定されている。
【００４１】
枠基本セットＢＳ３は、「ツクシ」という名称が割り当てられた枠基本セットＢＳであり、「ツクシの先端側」の絵柄の前枠Ｆ３と、「ツクシの末端側」の絵柄の後枠Ｒ３と、「ツクシの茎」の絵柄の中間枠Ｎ３と、を備える。
【００４２】
中間枠Ｎ３内には、１つのテキスト文字が配置される文字配置領域ｔ３が設けられている。文字配置領域ｔ３には、テキスト文字の配置サイズ及び配置向きが設定されている。この例では、文字配置領域ｔ３におけるテキスト文字の配置向きは、矢印先端側（図５中左側）がテキスト文字の上側となる向きに設定されている。
【００４３】
枠基本セットＢＳ４（第１枠要素セットに相当）は、「足跡」という名称が割り当てられた枠基本セットＢＳであり、「３つの星印」の絵柄の前枠Ｆ４と、「２つの星印」の絵柄の後枠Ｒ４と、これら前枠Ｆ４及び後枠Ｒ４の間において上記搬送方向と直交する方向（言い換えればテープ幅方向）に沿った一方側及び他方側にそれぞれ配置された「右足跡」の絵柄の中間枠Ｎ４ａ及び「左足跡」の絵柄の中間枠Ｎ４ｂと、を備える。なお、以下適宜、中間枠Ｎ４ａ，Ｎ４ｂを区別しない場合は、これらを総称して単に「中間枠Ｎ４」という。
【００４４】
一対の中間枠Ｎ４ａ，Ｎ４ｂ内には、それぞれ、１つのテキスト文字が配置される文字配置領域ｔ４ａ，ｔ４ｂが設けられている。なお、以下適宜、文字配置領域ｔ４ａ，ｔ４ｂを区別しない場合は、これらを総称して単に「文字配置領域ｔ４」という。文字配置領域ｔ４ａ，ｔ４ｂには、それぞれ、テキスト文字の配置サイズ及び配置向きが設定されている。文字配置領域ｔ４ａ，ｔ４ｂにおけるテキスト文字の配置向きは、互いに異なる向きに設定されている。この例では、文字配置領域ｔ４ａにおけるテキスト文字の配置向きは、矢印先端側（図５中左上側）がテキスト文字の上側となる向きに設定されており、文字配置領域ｔ４ｂにおけるテキスト文字の配置向きは、上記文字配置領域ｔ４ａとは異なる向きである矢印先端側（図５中左下側）がテキスト文字の上側となる向きに設定されている。
【００４５】
枠基本セットＢＳ５（第２枠要素セットに相当）は、「真珠」という名称が割り当てられた枠基本セットＢＳであり、「星印」の絵柄の前枠Ｆ５と、「星印」の絵柄の後枠Ｒ５と、「真珠」の絵柄の中間枠Ｎ５と、を備える。
【００４６】
中間枠Ｎ５内には、１つのテキスト文字が配置される文字配置領域ｔ５が設けられている。文字配置領域ｔ５には、テキスト文字の配置サイズ及び配置向きが設定されている。この例では、文字配置領域ｔ５におけるテキスト文字の配置向きは、矢印先端側（図５中上側）がテキスト文字の上側となる向きに設定されている。また、中間枠Ｎ５には、前枠Ｆ５及び後枠Ｒ５の間において複数配列される場合の配列条件が設定されている。すなわち、中間枠Ｎ５が複数配列される場合には、複数の中間枠Ｎ５は、アーチ状（逆アーチ状も含む）に配列されつつ、中央側に配置されるものほど上記テキスト文字の配置サイズを含むサイズが相似形に大きくなり、中央から離れた位置に配置されるものほど上記テキスト文字の配置サイズを含むサイズが相似形に小さくなるように、配列条件が設定されている。なお、中間枠Ｎ５が複数配列される場合に、複数の中間枠Ｎ５が、直線状又は波状に配列されつつ、中央側に配置されるものほどサイズが相似形に大きくなり、中央から離れた位置に配置されるものほどサイズが相似形に小さくなるように、配列条件が設定されていてもよい。
【００４７】
＜印字ラベル作成の流れ＞
次に、図６を参照しつつ、上記枠基本セットＢＳを用いて生成された枠の各中間枠Ｎに各テキスト文字が配置された態様の印字が形成された印字ラベルＬが作成される流れを説明する。
【００４８】
＜テキスト文字の入力＞
本実施形態では、例えば、まず図６（ａ）に示すように、操作者によるキーボード３又は機能キー群４等の適宜の操作により、上記液晶ディスプレイ５に、テキスト文字等の入力を行うためのテキスト編集画面５Ａが表示される。この状態で、図６（ｂ）に示すように、操作者は、上記キーボード３を用いてテキスト文字の入力を行う。この例では、「ＧＲＥＥＮ」からなる５つのテキスト文字が入力されている。
【００４９】
＜枠基本セットの選択＞
その後、上記テキスト編集画面５Ａ（又は別画面や別ウィンドウ等でもよい）において、上記枠基本セット記憶部２１４ａに記憶された複数種類の枠基本セットＢＳ１〜ＢＳ５等にそれぞれ割り当てられた名称「虫」「はしご」「ツクシ」「足跡」「真珠」等が、例えばスクロールにより一覧可能に表示される。なお、枠基本セットＢＳ１〜ＢＳ５等自体が、一覧可能に表示されてもよい。
【００５０】
操作者は、上記名称「虫」「はしご」「ツクシ」「足跡」「真珠」等のうち、上記テキスト文字に適用したいと意図する、１つの枠基本セットＢＳの名称を選択することにより、当該１つの枠基本セットＢＳを選択する、選択操作を行う。
【００５１】
この例では、図６（ｃ）に示すように、操作者によるキーボード３又は機能キー群４等の適宜の操作により、上記テキスト編集画面５Ａにおいて、上記名称「虫」が選択されることで、上記枠基本セットＢＳ１が選択されている。なお、このとき、「枠をこれにしますか？」の確認メッセージが併せて表示されている。
【００５２】
上記確認メッセージに対応して操作者がキーボード３又は機能キー群４等を用いて適宜の確認操作を行うと、以上の入力結果・選択結果に対応して、枠（後述の図６（ｄ）〜（ｆ）及び図７（ａ）〜（ｄ）に示す枠Ｗ１〜Ｗ５等参照）が生成される。なお、以下適宜、枠Ｗ１〜Ｗ５等を区別しない場合は、これらを総称して単に「枠Ｗ」という。この例では、上記枠基本セットＢＳ１の上記中間枠Ｎ１が、上記「ＧＲＥＥＮ」からなる５つのテキスト文字の文字数に応じて５つとなるように個数調節されると共に、それら５つが例えばテープ幅に応じた同一サイズで搬送方向に直線状に並ぶように配列調節される。そして、上記調節後の中間枠Ｎ１が、上記枠基本セットＢＳ１の上記前枠Ｆ１及び後枠Ｒ１と組み合わされて、枠Ｗ１が生成される（図６（ｄ）参照）。
【００５３】
そして、上記枠Ｗ１の５つの中間枠Ｎ１のそれぞれに、上記「ＧＲＥＥＮ」からなる５つのテキスト文字「Ｇ」「Ｒ」「Ｅ」「Ｅ」「Ｎ」のそれぞれが順次配置された態様の、印字ラベルＬが生成される（図６（ｅ）参照）。このとき、テキスト文字「Ｇ」「Ｒ」「Ｅ」「Ｅ」「Ｎ」のそれぞれは、サイズ及び向きが、対応する中間枠Ｎ１の上記文字配置領域ｔ１に設定された上記テキスト文字の配置サイズ及び配置向きに応じて変化された態様で、対応する中間枠Ｎ１に配置されている。すなわち、テキスト文字「Ｇ」「Ｒ」「Ｅ」「Ｅ」「Ｎ」は、それぞれ、テープ幅方向一端側（図６（ｅ）中上側）が当該テキスト文字の上側となる向きで、対応する中間枠Ｎ１に配置されている。
【００５４】
また、別の例として、例えば操作者が上記テキスト編集画面５Ａにおいて、「ＲＥＤ」からなる３つのテキスト文字を入力し、上記と同様、上記枠基本セットＢＳ１を選択した場合を考える。
【００５５】
この場合は、図６（ｆ）に示すように、上記枠基本セットＢＳ１の上記中間枠Ｎ１が、上記「ＲＥＤ」からなる３つのテキスト文字の文字数に応じて３つとなるように個数調節されると共に、それら３つが例えばテープ幅に応じた同一サイズで搬送方向に直線状に並ぶように配列調節される。そして、上記調節後の中間枠Ｎ１が、上記枠基本セットＢＳ１の上記前枠Ｆ１及び後枠Ｒ１と組み合わされて、上記図６（ｄ）に示す枠Ｗ１と異なる態様の枠Ｗ１が生成される。
【００５６】
そして、上記枠Ｗ１の３つの中間枠Ｎ１のそれぞれに、上記「ＲＥＤ」からなる３つのテキスト文字「Ｒ」「Ｅ」「Ｄ」のそれぞれが順次配置された態様の、印字ラベルＬが生成される。このとき、テキスト文字「Ｒ」「Ｅ」「Ｄ」のそれぞれは、サイズ及び向きが、対応する中間枠Ｎ１の上記文字配置領域ｔ１に設定された上記テキスト文字の配置サイズ及び配置向きに応じて変化された態様で、対応する中間枠Ｎ１に配置されている。すなわち、テキスト文字「Ｒ」「Ｅ」「Ｄ」は、それぞれ、テープ幅方向一端側（図６（ｆ）中上側）が当該テキスト文字の上側となる向きで、対応する中間枠Ｎ１に配置されている。
【００５７】
また、さらに別の例として、例えば操作者が上記テキスト編集画面５Ａにおいて、「火の用心」からなる４つのテキスト文字を入力し、上記枠基本セットＢＳ２を選択した場合を考える。
【００５８】
この場合は、図７（ａ）に示すように、上記枠基本セットＢＳ２の上記中間枠Ｎ２が、上記「火の用心」からなる４つのテキスト文字の文字数に応じて４つとなるように個数調節されると共に、それら４つが例えばテープ幅に応じた同一サイズで搬送方向に直線状に並ぶように配列調節される。そして、上記調節後の中間枠Ｎ２が、上記枠基本セットＢＳ２の上記前枠Ｆ２及び後枠Ｒ２と組み合わされて、枠Ｗ２が生成される。
【００５９】
そして、上記枠Ｗ２の４つの中間枠Ｎ２のそれぞれに、上記「火の用心」からなる４つのテキスト文字「火」「の」「用」「心」のそれぞれが順次配置された態様の、印字ラベルＬが生成される。このとき、テキスト文字「火」「の」「用」「心」のそれぞれは、サイズ及び向きが、対応する中間枠Ｎ２の上記文字配置領域ｔ２に設定された上記テキスト文字の配置サイズ及び配置向きに応じて変化された態様で、対応する中間枠Ｎ２に配置されている。すなわち、テキスト文字「火」「の」「用」「心」は、それぞれ、テープ長さ方向一端側（図７（ａ）中左側）が当該テキスト文字の上側となる向きで、対応する中間枠Ｎ２に配置されている。
【００６０】
また、さらに別の例として、例えば操作者が上記テキスト編集画面５Ａにおいて、「ＡＢＣ」からなる３つのテキスト文字を入力し、上記枠基本セットＢＳ３を選択した場合を考える。
【００６１】
この場合は、図７（ｂ）に示すように、上記枠基本セットＢＳ３の上記中間枠Ｎ３が、上記「ＡＢＣ」からなる３つのテキスト文字の文字数に応じて３つとなるように個数調節されると共に、それら３つが例えばテープ幅に応じた同一サイズで搬送方向に直線状に並ぶように配列調節される。そして、上記調節後の中間枠Ｎ３が、上記枠基本セットＢＳ３の上記前枠Ｆ３及び後枠Ｒ３と組み合わされて、枠Ｗ３が生成される。
【００６２】
そして、上記枠Ｗ３の３つの中間枠Ｎ３のそれぞれに、上記「ＡＢＣ」からなる３つのテキスト文字「Ａ」「Ｂ」「Ｃ」のそれぞれが順次配置された態様の、印字ラベルＬが生成される。このとき、テキスト文字「Ａ」「Ｂ」「Ｃ」のそれぞれは、サイズ及び向きが、対応する中間枠Ｎ３の上記文字配置領域ｔ３に設定された上記テキスト文字の配置サイズ及び配置向きに応じて変化された態様で、対応する中間枠Ｎ３に配置されている。すなわち、テキスト文字「Ａ」「Ｂ」「Ｃ」は、それぞれ、テープ長さ方向一端側（図７（ｂ）中左側）が当該テキスト文字の上側となる向きで、対応する中間枠Ｎ３に配置されている。
【００６３】
また、さらに別の例として、例えば操作者が上記テキスト編集画面５Ａにおいて、「土足厳禁」からなる４つのテキスト文字を入力し、上記枠基本セットＢＳ４を選択した場合を考える。
【００６４】
この場合は、図７（ｃ）に示すように、上記枠基本セットＢＳ４の上記一対の中間枠Ｎ４ａ，Ｎ４ｂが、上記「土足厳禁」からなる４つのテキスト文字の文字数に応じて２対となるように個数調節されると共に、それら２対が例えばテープ幅に応じた同一サイズで搬送方向に直線状に並ぶように配列調節される。そして、上記調節後の中間枠Ｎ４ａ，Ｎ４ｂが、上記枠基本セットＢＳ４の上記前枠Ｆ４及び後枠Ｒ４と組み合わされて、枠Ｗ４（第１枠に相当）が生成される。
【００６５】
そして、上記枠Ｗ４の２対の中間枠Ｎ４ａ，Ｎ４ｂのそれぞれに、上記「土足厳禁」からなる４つのテキスト文字「土」「足」「厳」「禁」のそれぞれが順次配置された態様の、印字ラベルＬが生成される。このとき、テキスト文字「土」「足」「厳」「禁」のそれぞれは、サイズ及び向きが、対応する中間枠Ｎ４の上記文字配置領域ｔ４に設定された上記テキスト文字の配置サイズ及び配置向きに応じて変化された態様で、対応する中間枠Ｎ４に配置されている。すなわち、テキスト文字「土」「足」「厳」「禁」のうち、テキスト文字「土」「厳」は、それぞれ、テープ長さ方向一端側（図７（ｃ）中左側）のテープ幅方向一端側（図７（ｃ）中上側）が当該テキスト文字の上側となる向きで、対応する中間枠Ｎ４ａに配置され、テキスト文字「足」「禁」は、それぞれ、テープ長さ方向一端側（図７（ｃ）中左側）のテープ幅方向他端側（図７（ｃ）中下側）が当該テキスト文字の上側となる向きで、対応する中間枠Ｎ４ｂに配置されている。
【００６６】
また、さらに別の例として、例えば操作者が上記テキスト編集画面５Ａにおいて、「ＰＥＡＲＬ」からなる５つのテキスト文字を入力し、上記枠基本セットＢＳ５を選択した場合を考える。
【００６７】
この場合は、図７（ｄ）に示すように、上記枠基本セットＢＳ５の上記中間枠Ｎ５が、上記「ＰＥＡＲＬ」からなる５つのテキスト文字の文字数に応じて５つとなるように個数調節されると共に、それら５つがアーチ状に配列されつつ、中央側に配置されるものほどサイズが相似形に大きくなり、中央から離れた位置に配置されるものほどサイズが相似形に小さくなるように、配列調節される。そして、上記調節後の中間枠Ｎ５が、上記枠基本セットＢＳ５の上記前枠Ｆ５及び後枠Ｒ５と組み合わされて、枠Ｗ５（第２枠に相当）が生成される。
【００６８】
そして、上記枠Ｗ５の５つの中間枠Ｎ５のそれぞれに、上記「ＰＥＡＲＬ」からなる５つのテキスト文字「Ｐ」「Ｅ」「Ａ」「Ｒ」「Ｌ」のそれぞれが順次配置された態様の、印字ラベルＬが生成される。このとき、テキスト文字「Ｐ」「Ｅ」「Ａ」「Ｒ」「Ｌ」のそれぞれは、サイズ及び向きが、対応する中間枠Ｎ５の上記文字配置領域ｔ５のサイズに応じた上記テキスト文字の配置サイズ及び配置向きに応じて変化された態様で、対応する中間枠Ｎ５に配置されている。すなわち、テキスト文字「Ｐ」「Ｅ」「Ａ」「Ｒ」「Ｌ」は、３文字目のテキスト文字「Ａ」が最も大きく、２文字目のテキスト文字「Ｅ」及び４文字目のテキスト文字「Ｒ」が上記テキスト文字「Ａ」よりも小さく、１文字目のテキスト文字「Ｐ」及び５文字目のテキスト文字「Ｌ」が上記テキスト文字「Ｅ」「Ｒ」よりも小さくなり、それぞれ、テープ幅方向一端側（図７（ｄ）中上側）が当該テキスト文字の上側となる向きで、対応する中間枠Ｎ５に配置されている。
【００６９】
＜制御手順＞
以下、図８を参照しつつ、以上説明した手法を実現するために、上記ＣＰＵ２１２により実行される制御手順を説明する。
【００７０】
図８において、例えば操作者が上記電源スイッチ４Ｂを操作することにより、このフローチャートの処理が開始される。
【００７１】
まず、ステップＳ１０で、ＣＰＵ２１２は、液晶ディスプレイ５に表示信号を出力し、上記テキスト編集画面５Ａを表示させる（図６（ａ）参照）。
【００７２】
その後、ステップＳ２０で、ＣＰＵ２１２は、操作者がキーボード３を介して実行した前述のテキスト文字Ｔの入力操作を受け付ける（図６（ｂ）参照）。
【００７３】
そして、ステップＳ３０で、ＣＰＵ２１２は、上記枠基本セット記憶部２１４ａに記憶された枠基本セットＢＳ１〜ＢＳ５等のうち１つを選択する選択操作が、適宜の機能キー群４又はキーボード３等を介してなされたか否かを判定する。上記選択操作がなされていない場合には、ステップＳ３０の判定は満たされず（Ｓ３０：ＮＯ）、ループ待機する。上記選択操作がなされた場合には、ステップＳ３０の判定が満たされて（Ｓ３０：ＹＥＳ）、ステップＳ４０に移る。
【００７４】
ステップＳ４０では、ＣＰＵ２１２は、上記ステップＳ３０で選択された枠基本セットＢＳを、使用する枠基本セットＢＳとして設定する。なお、このステップＳ４０を実行するＣＰＵ２１２が、各請求項記載の設定手段として機能する。
【００７５】
その後、ステップＳ５０で、ＣＰＵ２１２は、上記印刷キー４Ｃが押されたか否かを判定する。印刷キー４Ｃが押されていない場合は、ステップＳ５０の判定は満たされず（Ｓ５０：ＮＯ）、ループ待機する。印刷キー４Ｃが押された場合には、ステップＳ５０の判定が満たされて（Ｓ５０：ＹＥＳ）、ステップＳ６０に移る。
【００７６】
ステップＳ６０では、ＣＰＵ２１２は、上記ステップＳ４０で設定された枠基本セットＢＳの中間枠Ｎを、上記ステップＳ２０で操作入力されたテキスト文字の文字数に応じて個数及び配列を調整し、当該枠基本セットＢＳの前枠Ｆ及び後枠Ｒと組み合わせて、枠Ｗを生成する。なお、このステップＳ６０を実行するＣＰＵ２１２が、各請求項記載の枠生成手段として機能する。
【００７７】
具体的には、上記ステップＳ４０で上記枠基本セットＢＳ１が設定された場合には、ＣＰＵ２１２は、枠基本セットＢＳ１の中間枠Ｎ１を、上記操作入力されたテキスト文字の文字数に応じて個数調節すると共に、例えばテープ幅に応じた同一サイズで搬送方向に直線状に並ぶように配列調節し、枠基本セットＢＳ１の前枠Ｆ１及び後枠Ｒ１と組み合わせて、上記枠Ｗ１を生成する。
【００７８】
また、上記ステップＳ４０で上記枠基本セットＢＳ２が設定された場合には、ＣＰＵ２１２は、枠基本セットＢＳ２の中間枠Ｎ２を、上記操作入力されたテキスト文字の文字数に応じて個数調節すると共に、例えばテープ幅に応じた同一サイズで搬送方向に直線状に並ぶように配列調節し、枠基本セットＢＳ２の前枠Ｆ２及び後枠Ｒ２と組み合わせて、上記枠Ｗ２を生成する。
【００７９】
また、上記ステップＳ４０で上記枠基本セットＢＳ３が設定された場合には、ＣＰＵ２１２は、枠基本セットＢＳ３の中間枠Ｎ３を、上記操作入力されたテキスト文字の文字数に応じて個数調節すると共に、例えばテープ幅に応じた同一サイズで搬送方向に直線状に並ぶように配列調節し、枠基本セットＢＳ３の前枠Ｆ３及び後枠Ｒ３と組み合わせて、上記枠Ｗ３を生成する。
【００８０】
また、上記ステップＳ４０で上記枠基本セットＢＳ４が設定された場合には、ＣＰＵ２１２は、枠基本セットＢＳ４の一対の中間枠Ｎ４ａ，Ｎ４ｂを、上記操作入力されたテキスト文字の文字数に応じて個数調節すると共に、例えばテープ幅に応じた同一サイズで搬送方向に直線状に並ぶように配列調節し、枠基本セットＢＳ４の前枠Ｆ４及び後枠Ｒ４と組み合わせて、上記枠Ｗ４を生成する。
【００８１】
また、上記ステップＳ４０で上記枠基本セットＢＳ５が設定された場合には、ＣＰＵ２１２は、枠基本セットＢＳ５の中間枠Ｎ５を、上記操作入力されたテキスト文字の文字数、及び、当該中間枠Ｎ５に設定された配列条件に応じて、上述のように個数、配列、及びサイズを調節し、枠基本セットＢＳ５の前枠Ｆ５及び後枠Ｒ５と組み合わせて、上記枠Ｗ５を生成する。
【００８２】
そして、ステップＳ７０で、ＣＰＵ２１２は、上記ステップＳ６０で生成された枠Ｗの中間枠Ｎのそれぞれに、上記ステップＳ２０で操作入力されたテキスト文字のそれぞれが順次配置されると共に、当該テキスト文字のそれぞれのサイズ及び向きを、対応する中間枠Ｎに設定されたテキスト文字の配置サイズ及び配置向きに応じた態様とした、印字データを生成する。なお、このステップＳ７０を実行するＣＰＵ２１２が、各請求項記載の印字データ生成手段として機能する。
【００８３】
具体的には、上記ステップＳ６０で上記枠Ｗ１が生成された場合には、ＣＰＵ２１２は、枠Ｗ１の中間枠Ｎ１のそれぞれに、上記操作入力されたテキスト文字のそれぞれが順次配置されると共に、当該テキスト文字のそれぞれのサイズ及び向きを、対応する中間枠Ｎ１に設定されたテキスト文字の配置サイズ及び配置向きに応じた態様とした、印字データを生成する。
【００８４】
また、上記ステップＳ６０で上記枠Ｗ２が生成された場合には、ＣＰＵ２１２は、枠Ｗ２の中間枠Ｎ２のそれぞれに、上記操作入力されたテキスト文字のそれぞれが順次配置されると共に、当該テキスト文字のそれぞれのサイズ及び向きを、対応する中間枠Ｎ２に設定されたテキスト文字の配置サイズ及び配置向きに応じた態様とした、印字データを生成する。
【００８５】
また、上記ステップＳ６０で上記枠Ｗ３が生成された場合には、ＣＰＵ２１２は、枠Ｗ３の中間枠Ｎ３のそれぞれに、上記操作入力されたテキスト文字のそれぞれが順次配置されると共に、当該テキスト文字のそれぞれのサイズ及び向きを、対応する中間枠Ｎ３に設定されたテキスト文字の配置サイズ及び配置向きに応じた態様とした、印字データを生成する。
【００８６】
また、上記ステップＳ６０で上記枠Ｗ４が生成された場合には、ＣＰＵ２１２は、枠Ｗ４の中間枠Ｎ４ａ，Ｎ４ｂのそれぞれに、上記操作入力されたテキスト文字のそれぞれが順次配置されると共に、当該テキスト文字のそれぞれのサイズ及び向きを、対応する中間枠Ｎ４に設定されたテキスト文字の配置サイズ及び配置向きに応じた態様とした、印字データを生成する。
【００８７】
また、上記ステップＳ６０で上記枠Ｗ５が生成された場合には、ＣＰＵ２１２は、枠Ｗ５の中間枠Ｎ５のそれぞれに、上記操作入力されたテキスト文字のそれぞれが順次配置されると共に、当該テキスト文字のそれぞれのサイズ及び向きを、対応する中間枠Ｎ５の大きさに応じたテキスト文字の配置サイズ及び配置向きに応じた態様とした、印字データを生成する。
【００８８】
その後、ステップＳ８０で、ＣＰＵ２１２は、モータ駆動回路２１６に制御信号を出力し、駆動モータ２１１によりテープ送りローラ駆動軸１０８及びリボン巻き取りローラ駆動軸１０７を駆動開始する。これにより、カバーフィルム１０３、基材テープ１０１、及び印字済みラベル用テープ１０９（以下適宜、単に「カバーフィルム１０３等」という）の搬送が開始される。
【００８９】
そして、ステップＳ９０で、ＣＰＵ２１２は、上記ステップＳ７０で生成された印字データに基づき、上記のようにして搬送されるカバーフィルム１０３等が所定の印字領域の開始位置まで搬送されたかどうか（言い替えれば、印字領域の前端にサーマルヘッド２３が正対する搬送方向位置になるまでカバーフィルム１０３等が搬送されたかどうか）を判定する。この判定は、例えばステッピングモータからなる駆動モータ２１１のパルス数をカウントする等、公知の適宜の手法により行えば足りる。カバーフィルム１０３等が印字領域の開始位置まで搬送されていなければ、ステップＳ９０の判定は満たされず（Ｓ９０：ＮＯ）、ループ待機する。カバーフィルム１０３等が印字領域の開始位置まで搬送されたら、ステップＳ９０の判定が満たされて（Ｓ９０：ＹＥＳ）、ステップＳ１００に移る。
【００９０】
ステップＳ１００では、ＣＰＵ２１２は、上記ステップＳ７０で生成された印字データに基づき、サーマルヘッド２３の発熱素子に通電する印字処理を行う。これにより、カバーフィルム１０３に、上記通電された発熱素子によりインクリボン１０５のインクが転写され、上記印字データに対応した印字が形成される。
【００９１】
その後、ステップＳ１１０で、ＣＰＵ２１２は、上記のようにして搬送されるカバーフィルム１０３等が印字領域の終了位置まで搬送されたかどうか（言い替えれば、印字領域の後端にサーマルヘッド２３が正対する搬送方向位置になるまでカバーフィルム１０３等が搬送されたかどうか）を判定する。この判定も上記同様の公知の手法により行えば足りる。カバーフィルム１０３等が印字領域の終了位置まで搬送されていなければ、ステップＳ１１０の判定は満たされず（Ｓ１１０：ＮＯ）、上記ステップＳ１００に戻り同様の手順を繰り返す。カバーフィルム１０３等が印字領域の終了位置まで搬送されていれば、ステップＳ１１０の判定が満たされて（Ｓ１１０：ＹＥＳ）、ステップＳ１２０に移る。
【００９２】
ステップＳ１２０では、ＣＰＵ２１２は、上記ステップＳ７０で生成された印字データに基づき、搬送されるカバーフィルム１０３等が、上記印字データに基づき印字領域よりラベル後端側に設定される所定の切断位置まで搬送されたかどうか（すなわち、切断位置に上記可動刃４１が正対する搬送方向位置になるまで、印字済みラベル用テープ１０９が搬送されたかどうか）を判定する。この判定も、前述と同様の公知の手法により行えば足りる。カバーフィルム１０３等が切断位置まで搬送されていなければ、ステップＳ１２０の判定は満たされず（Ｓ１２０：ＮＯ）、ループ待機する。カバーフィルム１０３等が切断位置まで搬送されたら、ステップＳ１２０の判定が満たされて（Ｓ１２０：ＹＥＳ）、ステップＳ１３０に移る。
【００９３】
ステップＳ１３０では、ＣＰＵ２１２は、モータ駆動回路２１６に制御信号を出力し、駆動モータ２１１によるテープ送りローラ駆動軸１０８及びリボン巻き取りローラ駆動軸１０７の駆動を停止する。これにより、カバーフィルム１０３等の搬送が停止する。なお、上記ステップＳ８０〜ステップＳ１３０を実行するＣＰＵ２１２が、各請求項記載の連携制御手段として機能する。
【００９４】
そして、ステップＳ１４０で、ＣＰＵ２１２は、液晶ディスプレイ５に表示信号を出力する。これにより、操作者に対し、カッターレバー７を操作し可動刃４１を動作させ印字済みラベル用テープ１０９を切断するよう促す、適宜の表示が液晶ディスプレイ５において行われる。この表示に対応して操作者がカッターレバー７を操作することで、印字済みラベル用テープ１０９の切断が行われ、上記ステップＳ６０で生成された枠Ｗの中間枠Ｎのそれぞれに、上記ステップＳ２０で操作入力されたテキスト文字のそれぞれが順次配置されると共に、当該テキスト文字のそれぞれのサイズ及び向きを、対応する中間枠Ｎに設定されたテキスト文字の配置サイズ及び配置向きに応じた態様とした、印字が形成された、印字ラベルＬが生成される。以上により、このフローチャートの処理が終了する。
【００９５】
＜本実施形態の効果＞
以上説明したように、本実施形態においては、操作者がテキスト文字の操作入力を行い、使用する枠基本セットＢＳを選択すると、その枠基本セットＢＳの特定の配置枠要素（上記の例では中間枠Ｎ）の個数等が自動的にアレンジされて枠Ｗが生成され、その枠Ｗの配置枠要素（上記の例では中間枠Ｎ）のそれぞれに、上記テキスト文字のそれぞれを配置した態様の、印字を形成することができる。したがって、（アレンジ不能に）予め用意された枠を選択して使用するのみの場合に比べて、テキスト文字において種々多様な表現態様を実現することができる。この結果、印字を表現性豊かに形成することができるので、操作者にとっての利便性を向上することができる。
【００９６】
また、本実施形態では特に、印字データに対応した印字が形成された印字ラベルＬを作成する。これにより、印字ラベルＬにおいて印字を表現性豊かに形成することができ、操作者にとっての利便性を向上することができる。
【００９７】
また、本実施形態では特に、操作者がテキスト文字の操作入力を行い、使用する枠基本セットＢＳを選択すると、その枠基本セットＢＳの中間枠Ｎの個数等が自動的にアレンジされて枠Ｗが生成され、その枠Ｗの中間枠Ｎのそれぞれに、上記テキスト文字のそれぞれを配置した態様の、印字を形成することができる。この結果、印字を表現性豊かに形成することができ、操作者にとっての利便性を向上することができる。
【００９８】
また、本実施形態では特に、ＣＰＵ２１２が、テキスト文字のそれぞれの向きを、対応する中間枠Ｎに設定されたテキスト文字の配置向きに応じて変化させた態様で、印字データを生成する。これにより、印字形成される枠Ｗの中間枠Ｎに配置されるテキスト文字の向きを自動的に調整することができ、印字を手軽に形成することができる。
【００９９】
また、本実施形態では特に、ＣＰＵ２１２は、上述のようにして設定した上記枠基本セットＢＳ４の中間枠Ｎ４ａ，Ｎ４ｂを、操作入力されたテキスト文字の文字数等に応じて個数等を調節し、当該枠基本セットＢＳ４の前枠Ｆ４及び後枠Ｒ４と組み合わせて、上記枠Ｗ４を生成する。そして、ＣＰＵ２１２は、その生成した枠Ｗ４の中間枠Ｎ４ａ，Ｎ４ｂのそれぞれに、操作入力されたテキスト文字のそれぞれが配置されると共に、当該テキスト文字のそれぞれの向きを、対応する中間枠Ｎ４に設定されたテキスト文字の配置向きに応じて変化させた態様で、印字データを生成する。これにより、印字形成される枠Ｗ４の中間枠Ｎ４の個数を自動的にアレンジすると共に、中間枠Ｎ４に配置されるテキスト文字の向きを自動的に調整することができ、高いデザイン性を備えた印字を手軽に形成することができる。
【０１００】
また、本実施形態では特に、ＣＰＵ２１２が、テキスト文字のそれぞれのサイズを、対応する中間枠Ｎに設定されたテキスト文字の配置サイズに応じて変化させた態様で、印字データを生成する。これにより、印字形成される枠Ｗの中間枠Ｎに配置されるテキスト文字のサイズを自動的に調整することができ、印字を手軽に形成することができる。
【０１０１】
また、本実施形態では特に、ＣＰＵ２１２は、上述のようにして設定した上記枠基本セットＢＳ５の中間枠Ｎ５を、操作入力されたテキスト文字の文字数、及び、当該枠基本セットＢＳ５に設定された上述の配列条件に応じて、個数、配列、及びサイズを調節し、当該枠基本セットＢＳ５の前枠Ｆ５及び後枠Ｒ５と組み合わせて、上記枠Ｗ５を生成する。そして、ＣＰＵ２１２は、その生成した枠Ｗ５の中間枠Ｎ５のそれぞれに、操作入力されたテキスト文字のそれぞれが配置されると共に、当該テキスト文字のそれぞれのサイズを、対応する中間枠Ｎ５のサイズに応じたテキスト文字の配置向きに応じて変化させた態様で、印字データを生成する。これにより、印字形成される枠Ｗ５の中間枠Ｎ５の個数、配列、サイズを自動的にアレンジすると共に、中間枠Ｎ５に配置されるテキスト文字の大きさを自動的に調整することができ、高いデザイン性を備えた印字を手軽に形成することができる。
【０１０２】
＜変形例等＞
なお、本発明は、上記実施形態に限られるものではなく、その趣旨及び技術的思想を逸脱しない範囲内で種々の変形が可能である。以下、そのような変形例を説明する。
【０１０３】
（１）前枠や後枠にもテキスト文字を配置する場合
上記実施形態では、操作入力されたテキスト文字が、上記前枠Ｆ、中間枠Ｎ、及び後枠Ｒのうち、中間枠Ｎのみに配置される場合を例にとって説明したが、これに限られない。例えば、操作入力されたテキスト文字を、前枠Ｆ及び中間枠Ｎに配置する（この場合は前枠Ｆ及び中間枠Ｎが配置枠要素に相当）か、若しくは、中間枠Ｎ及び後枠Ｒに配置する（この場合は中間枠Ｎ及び後枠Ｒが配置枠要素に相当）か、若しくは、前枠Ｆ、中間枠Ｎ、及び後枠Ｒのいずれにも配置する（この場合は前枠Ｆ、中間枠Ｎ、及び後枠Ｒのいずれもが配置枠要素に相当）、ようにしてもよい。これらの場合も同様の効果を得ることができる。
【０１０４】
（２）前枠や後枠がない枠基本セットが記憶される場合
上記実施形態では、前枠Ｆ、後枠Ｒ、及び中間枠Ｎを備える枠基本セットＢＳが記憶されている場合を例にとって説明したが、これに限られない。例えば、前枠Ｆ及び中間枠Ｎのみを備える（後枠Ｒを備えない）枠基本セットＢＳが記憶されるか、若しくは、中間枠Ｎ及び後枠Ｒのみを備える（前枠Ｆを備えない）枠基本セットＢＳが記憶されるか、若しくは、中間枠Ｎのみを備える（前枠Ｆ及び後枠Ｒのいずれも備えない）枠基本セットＢＳが記憶されていてもよい。これらの場合も同様の効果を得ることができる。
【０１０５】
（３）操作端末により枠生成、印字データ生成等を実行する場合
上記実施形態では、印字装置１のＣＰＵ２１２が上記図８に示すフローチャートの各制御手順を実行する場合（いわゆるスタンドアローン構成）を例にとって説明したが、これに限られない。例えば、上記テープ送りローラ駆動軸１０８やサーマルヘッド２３等の基本構成を有し、操作入力されたテキスト文字をカバーフィルム１０３に対し印字形成する印字装置を操作可能に接続され、上記枠基本セットＢＳ１〜ＢＳ５等を記憶する適宜のメモリ（記憶手段に相当）を備えた、操作端末（例えばパソコンやスマートフォン等）のＣＰＵ（演算手段に相当）により、上記枠Ｗ１〜Ｗ５等の生成や上記印字データの生成等を実行させてもよい。
【０１０６】
この場合、操作端末のＣＰＵに対し上記図８に示すフローチャートのステップＳ１０〜Ｓ７０等と同様の手順等を実行させるための印字処理プログラムが上記適宜のメモリに記憶され、操作端末のＣＰＵが、この印字処理プログラムに従って、上記図８に示すフローチャートのステップＳ１０〜Ｓ７０と同様の手順等を実行し、その後、印字装置のＣＰＵに対し上記図８に示すフローチャートのステップＳ８０〜Ｓ１４０と同等の手順を実行させるための制御信号を印字装置に対し送信する手順（送信手順に相当）を実行することにより、印字装置のＣＰＵが上記図８に示すフローチャートのステップＳ８０〜Ｓ１４０と同等の手順を実行する。これにより、上述のような態様の印字ラベルＬを作成することができる。
【０１０７】
なお、この場合における、操作端末のＣＰＵが実行する上記ステップＳ４０と同様の手順が設定手順に相当し、操作端末のＣＰＵが実行する上記ステップＳ６０と同様の手順が枠生成手順に相当し、操作端末のＣＰＵが実行する上記ステップＳ７０と同様の手順が印字データ生成手順に相当する。
【０１０８】
本変形例においても、上記実施形態と同様の効果を得ることができる。
【０１０９】
（４）その他
なお、以上は、印字装置として、被印字テープ（上記の例ではカバーフィルム１０３）に所望の印刷を行って印字ラベルＬを作成する印字装置１に対し本発明を適用した場合を例にとって説明したが、これに限られない。すなわち、例えばＡ４、Ａ３、Ｂ４、Ｂ５サイズ等の通常の被印刷用紙に画像を形成したり文字を印刷するプリンタや、バッテリ電源により駆動される携帯用プリンタに対し、本発明を適用してもよい。この場合も同様の効果を得ることができる。
【０１１０】
また、以上の説明において、「垂直」「平行」「平面」等の記載がある場合には、当該記載は厳密な意味ではない。すなわち、それら「垂直」「平行」「平面」等とは、設計上、製造上の公差、誤差が許容され、「実質的に垂直」「実質的に平行」「実質的に平面」等という意味である。
【０１１１】
また、以上の説明において、外観上の寸法や大きさが「同一」「等しい」「異なる」等の記載がある場合は、当該記載は厳密な意味ではない。すなわち、それら「同一」「等しい」「異なる」等とは、設計上、製造上の公差、誤差が許容され、「実質的に同一」「実質的に等しい」「実質的に異なる」等という意味である。但し、例えばしきい値や基準値等、所定の判定基準となる値あるいは区切りとなる値の記載がある場合は、それらに対しての「同一」「等しい」「異なる」等は、上記とは異なり、厳密な意味である。
【０１１２】
また、以上において、図４中に示す矢印は、信号の流れの一例を示すものであり、信号の流れ方向を限定するものではない。
【０１１３】
また、図８に示すフローチャートは、本発明を図示する手順に限定するものではなく、発明の趣旨及び技術的思想を逸脱しない範囲内で手順の追加・削除又は順番の変更等をしてもよい。
【０１１４】
また、以上既に述べた以外にも、上記実施形態や各変形例による手法を適宜組み合わせて利用してもよい。
【０１１５】
その他、一々例示はしないが、本発明は、その趣旨を逸脱しない範囲内において、種々の変更が加えられて実施されるものである。
【符号の説明】
【０１１６】
１                印字装置
３                キーボード（操作手段）
２３              サーマルヘッド（印字手段）
１０３            カバーフィルム（被印字媒体）
１０８            テープ送りローラ駆動軸（搬送手段）
２１２            ＣＰＵ
２１４ａ          枠基本セット記憶部（記憶手段）
ＢＳ，ＢＳ１〜３  枠基本セット（枠要素セット）
ＢＳ４            枠基本セット（枠要素セット、第１枠要素セット）
ＢＳ５            枠基本セット（枠要素セット、第２枠要素セット）
Ｆ，Ｆ１〜５      前枠（第１枠要素）
Ｎ，Ｎ１〜３      中間枠（配置枠要素、特定の配置枠要素、第３枠要素）
Ｎ４ａ，ｂ        中間枠（配置枠要素、特定の配置枠要素、第３枠要素）
Ｎ５              中間枠（配置枠要素、特定の配置枠要素、第３枠要素）
Ｌ                印字ラベル
Ｒ，Ｒ１〜５      後枠（第２枠要素）
Ｗ，Ｗ１〜３      枠
Ｗ４              枠（第１枠）
Ｗ５              枠（第２枠）
【図１】
0006455330.tif 000002
【図２】
0006455330.tif 000003
【図３】
0006455330.tif 000004
【図４】
0006455330.tif 000005
【図５】
0006455330.tif 000006
【図６】
0006455330.tif 000007
【図７】
0006455330.tif 000008
【図８】
0006455330.tif 000009